(57)【要約】  【課題】本発明は、ＲＦＩＤラベルに関し、外部力の影響を受けることなく物品表面に対してＲＦＩＤインレットを離隔させる新たな形態とさせることを目的とする。  【解決手段】ＲＦＩＤインレット１２を備えるラベル上紙１３の裏面に剥離自在の感圧接着剤１５を介して中間部材１４が設けられ、さらに粘着剤層１６を介して剥離紙１８が設けられたＲＦＩＤラベルシート１１Ａより、当該ＲＦＩＤインレット１２を含む領域に対応する上記中間部材１４Ｂ及び剥離紙の一部（１８Ｂ）により内部空間を有する湾曲折り形状に曲げ加工させて当該物品２１に貼付されるＲＦＩＤラベル１１であり、ラベル上紙１１の周縁の少なくとも対向する周縁で粘着剤層１６により物品表面に貼付されたときに当該ラベル上紙１３で覆われて当該物品表面との間に介在部材を介在させる構成とする。  【選択図】  図１
2010026679.tif 000002
【特許請求の範囲】
【請求項１】
少なくともアンテナ部及びＩＣチップで構成されるＩＣモジュールが形成され、物品に関する情報について非接触でリーダライタと通信されるＲＦＩＤインレットを備えるラベル上紙の裏面に粘着剤層を介して剥離紙が設けられたＲＦＩＤラベルシートより、当該ＲＦＩＤインレットを含む領域に対応する以外の上記剥離紙の一部を少なくとも剥離させて当該物品に貼付されるＲＦＩＤラベルであって、
前記ラベル上紙の周縁の少なくとも対向する周縁で前記粘着剤層により前記物品表面に貼付されたときに当該ラベル上紙で覆われて当該物品表面との間に介在される介在部材を有することを特徴とするＲＦＩＤラベル。
【請求項２】
請求項１記載のＲＦＩＤラベルであって、前記介在部材は所定形状に曲げ加工された形状であることを特徴とするＲＦＩＤラベル。
【請求項３】
請求項２記載のＲＦＩＤラベルであって、前記介在部材の曲げ加工された形状は、重ね折り、所定数の巻込折り、又は、内部空間を有した湾曲折りであることを特徴とするＲＦＩＤラベル。
【請求項４】
請求項１〜３の少なくとも何れかに記載のＲＦＩＤラベルであって、前記介在部材は、前記ＲＦＩＤラベルシートにおける少なくとも前記ＲＦＩＤインレットを含む領域で残存される剥離紙により前記形状で曲げ加工されることを特徴とするＲＦＩＤラベル。
【請求項５】
請求項１〜３の少なくとも何れかに記載のＲＦＩＤラベルであって、前記介在部材は、前記ＲＦＩＤラベルシートにおける前記ラベル上紙及び剥離紙の他領域に同一作製工程で分離自在に設けられた部材により前記形状で曲げ加工されることを特徴とするＲＦＩＤラベル。
【請求項６】
請求項１〜３の少なくとも何れかに記載のＲＦＩＤラベルであって、
前記ラベル上紙の裏面に剥離自在の接着剤により中間部材が設けられ、
前記介在部材は、前記ＲＦＩＤラベルシートにおける少なくとも前記ＲＦＩＤインレットを含む領域で残存された前記中間部材及び剥離紙、又は、前記中間部材のみにより前記形状で曲げ加工されることを特徴とするＲＦＩＤラベル。
【発明の詳細な説明】
【技術分野】
【０００１】
本発明は、ＲＦＩＤ（Ｒａｄｉｏ  Ｆｒｅｑｕｅｎｃｙ  Ｉｄｅｎｔｉｆｉｃａｔｉｏｎ）を物品に貼り付けてリーダライタと非接触で通信を行わせるためのＲＦＩＤラベルに関する。
【背景技術】
【０００２】
近年、ＲＦＩＤと称される非接触型ＩＣメディアに関する技術が急速に進歩してきており、搭載されるＩＣチップが小型かつ安価になってきている。このＲＦＩＤは、基材にアンテナ部となるアンテナパターンを形成してＩＣチップを搭載したインレットと称されるものを他のベース基材に貼着されることなどにより作製され、当該他のベース基材に粘着剤を塗布されることでＲＦＩＤラベルとされる。このようなＲＦＩＤラベルは、物品に貼り付けられ、リーダライタとの非接触の通信により物品管理等に利用されるが、貼り付けられる物品の表面が金属等の場合の通信障害を回避させる必要がある。
【０００３】
従来、ＲＦＩＤラベルを通信障害の生じ易い金属等の物品に貼付させる場合、ＲＦＩＤインレットを金属表面より離隔すればするほど通信障害を回避させ易いことが知られており、そのためのＲＦＩＤラベルが種々提案されている。例えば、ＲＦＩＤラベルを金属表面物品に貼付させる際に、ＲＦＩＤインレットの部分を単独で折り立てることや（特許文献１）、ＲＦＩＤインレットの部分と物品の金属表面との間に空間領域を形成させるように折った形状とさせることや（特許文献２，４）、また、ＲＦＩＤラベルシートを中空四角柱に折り込んで立設させること（特許文献３）が提案されている。
【０００４】
さらに、ＲＦＩＤインレットの部分を物品の金属表面から離隔するために、ＲＦＩＤインレットが形成されたラベル基体の一部を、当該ＲＦＩＤインレットを挟み込むように折り込んで台紙に仮着しておき、当該ラベル基体を台紙より分離し、当該被着体上に折り部分を立設させて貼付することによりＲＦＩＤインレットを離隔させることも提案されている（特許文献５）。
【０００５】
【特許文献１】特開２００７−１２２５４２号公報
【特許文献２】特開２００７−１６４３９９号公報
【特許文献３】特開２００７−１７２３６９号公報
【特許文献４】特開２００７−２６４８６８号公報
【特許文献５】特開２００７−２７１７０７号公報
【発明の開示】
【発明が解決しようとする課題】
【０００６】
しかしながら、特許文献１〜５のように、ＲＦＩＤインレット部分を折り立てたり、立設させたりすることや、物品表面との間に空間領域を設けることは外部からの力によって潰れることがあって、例えば物品を重ねることや隙間なく並べることができないという問題がある。
【０００７】
そこで、本発明は上記課題に鑑みなされたもので、外部力の影響を受けることなく物品表面に対してＲＦＩＤインレットを離隔させる新たな形態とさせるＲＦＩＤラベルを提供することを目的とする。
【課題を解決するための手段】
【０００８】
上記課題を解決するために、請求項１の発明では、少なくともアンテナ部及びＩＣチップで構成されるＩＣモジュールが形成され、物品に関する情報について非接触でリーダライタと通信されるＲＦＩＤインレットを備えるラベル上紙の裏面に粘着剤層を介して剥離紙が設けられたＲＦＩＤラベルシートより、当該ＲＦＩＤインレットを含む領域に対応する以外の上記剥離紙の一部を少なくとも剥離させて当該物品に貼付されるＲＦＩＤラベルであって、前記ラベル上紙の周縁の少なくとも対向する周縁で前記粘着剤層により前記物品表面に貼付されたときに当該ラベル上紙で覆われて当該物品表面との間に介在される介在部材を有する構成とする。
【０００９】
請求項２〜６の発明では、「前記介在部材は所定形状に曲げ加工された形状である」構成であり、
「前記介在部材の曲げ加工された形状は、重ね折り、所定数の巻込折り、又は、内部空間を有した湾曲折りである」構成であり、
「前記介在部材は、前記ＲＦＩＤラベルシートにおける少なくとも前記ＲＦＩＤインレットを含む領域で残存される剥離紙により前記形状で曲げ加工される」構成であり、
「前記介在部材は、前記ＲＦＩＤラベルシートにおける前記ラベル上紙及び剥離紙の他領域に同一作製工程で分離自在に設けられた部材により前記形状で曲げ加工される」構成であり、
「前記ラベル上紙の裏面に剥離自在の接着剤により中間部材が設けられ、
前記介在部材は、前記ＲＦＩＤラベルシートにおける少なくとも前記ＲＦＩＤインレットを含む領域で残存された前記中間部材及び剥離紙、又は、前記中間部材のみにより前記形状で曲げ加工される」構成である。
【発明の効果】
【００１０】
本発明によれば、ＲＦＩＤインレットを備えるラベル上紙の裏面に粘着剤層を介して剥離紙が設けられたＲＦＩＤラベルシートより、当該ＲＦＩＤインレットを含む領域に対応する以外の上記剥離紙の一部を少なくとも剥離させて当該物品に貼付されるものであり、ラベル上紙の周縁の少なくとも対向する周縁で前記粘着剤層により前記物品表面に貼付されたときに当該ラベル上紙で覆われて当該物品表面との間に介在部材を介在させる構成とすることにより、物品表面との間に介在部材を介在させることから外部力の影響を回避させることができ、介在部材によって物品表面に対してＲＦＩＤインレットを離隔させる新たな形態とさせることができるものである。
【発明を実施するための最良の形態】
【００１１】
以下、本発明の最良の実施形態を図により説明する。本発明では、物品への貼付以前の形態がＲＦＩＤラベルシートであり、物品に貼付させるための形態がＲＦＩＤラベルである。
【００１２】
図１に、本発明に係るＲＦＩＤラベルの第１実施形態の構成図を示す。図１（Ａ）、（Ｂ）において、ＲＦＩＤラベル１１は、ラベル上紙１３がＲＦＩＤインレット１２を備える。ＲＦＩＤインレット１２は、アンテナ部及びＩＣチップで構成されるＩＣモジュールが形成されたもので従前のものと同様のものである。例えば、ＲＦＩＤインレット１２を、基材にアンテナ部を導電性インキで印刷により形成し、当該アンテナ部の端部にＩＣチップを実装させ、他の基材を貼り付けることによってＲＦＩＤインレット１２を備えるラベル上紙１３としたものであるが、上記他の基材を貼り付けない形態であってもよい。
【００１３】
当該ラベル上紙１３には、その４辺で周縁部１３Ａ〜１３Ｄが設けられたもので、裏面には剥離自在の感圧接着剤１５が設けられる。この剥離自在な感圧接着剤１５としては、従前より知られているような、例えば天然ラテックスなどの強接着剤に微小粒子のシリカ等が充填されたものである。そして、当該感圧接着剤１５の当該周縁部１３Ａ〜１３Ｄ以外の部分に介在部材１７が取着されている。当該介在部材１７は、後述の中間部材１４Ａ及び剥離紙１８Ｂにより内部空間を有した湾曲折りの形状に曲げ加工されたものである（図３で説明する）。なお、ラベル上紙１３は材質として紙類の他にフィルム材を含む概念である。
【００１４】
また、ラベル上紙１３の周縁部１３Ａ〜１３Ｄの裏面には上記感圧接着剤１５を介して中間部材１４Ａが設けられ、当該中間部材１４Ａに粘着剤層１６が設けられる。そして、このようなＲＦＩＤラベル１１を、金属表面の物品２１に、上記介在部材１７をラベル上紙１３で覆わせて当該物品２１の表面との間に介在させ、粘着剤層１６により貼付されるものである。すなわち、当該ＲＦＩＤラベル１１は、当該介在部材１７により周縁部１３Ａ〜１３Ｄから立体的に盛り上がった形態となる。
【００１５】
ここで、図２及び図３に、図１のＲＦＩＤラベルの作製説明図を示す。図２（Ａ）、（Ｂ）はＲＦＩＤラベルシートの表面図及び裏面図、図３はＲＦＩＤラベルシートからＲＦＩＤラベルとさせる工程説明図である。図２（Ａ）、（Ｂ）及び図３（Ａ）において、ＲＦＩＤラベルシート１１Ａは、順にラベル上紙１３の下方に剥離自在な感圧接着剤１５、中間部材１４、粘着剤層１６及び剥離紙１８で形成される。当該中間部材１４は例えばラベル上紙１３と同様の材質のものであり、当該剥離紙１８は剥離剤が塗布された上質紙若しくはフィルムであって一般的なものである。
【００１６】
上記ラベル上紙１３には上記ＲＦＩＤインレット１２が備えられ、上記のように４辺における周縁部１３Ａ〜１３Ｄを有した平面形状とされるもので、当該ラベル上紙１３の平面形状に応じて中間部材１４及び剥離紙１８においても同様の平面形態とされる。このようなＲＦＩＤラベルシート１１Ａを裏面（図２（Ｂ））からみると、剥離紙１８、粘着剤層１６及び中間部材１４にかけて切取線（スリット）１９が、例えば上記周縁部１３Ａ〜１３Ｄに対応する部分を区画するように形成される。すなわち、当該切取線１９で区画される上記周縁部１３Ａ〜１３Ｄに対応する部分が中間部材１４Ａ及び剥離紙１８Ａとなり、それ以外の切取線１９の内側が中間部材１４Ｂ及び剥離紙１８Ｂとなる。
【００１７】
そこで、図３（Ｂ）に示すように、中間部材１４Ｂ及び剥離紙１８Ｂの両方を、粘着剤層１６を介在させたまま、例えば図面上の左端の切取線１９の部分から剥離自在の感圧接着剤１５部分を剥がしながらＲＦＩＤインレット１２に対応する部分に内部空間を有するように折り曲げ、図３（Ｃ）に示すように当該内部空間を維持させるべく図面上の右端の切取線１９の部分から剥離自在の感圧接着剤１５部分を剥がしながら折り曲げ先端に重ねるように折り曲げることによって、中空かまぼこ形状の介在部材１７が当該感圧接着剤１５に接着されたままで形成される。そして、各剥離紙１８Ａを剥離、除去して粘着剤層１６を表出させ、図１に示すように物品２１に貼付させるものである。
【００１８】
続いて、図４に、図１のＲＦＩＤラベルにおける介在部材の他の形態の説明図を示す。図４（Ａ）は、図３（Ｃ）において図面上の右端から剥離自在の感圧接着剤１５部分を剥がしながら折り曲げ先端に重ねるように折り曲げる際に、剥離紙１８Ｂの一部を剥がして内包させた状態で湾曲形状に折り曲げた中間部材１４Ｂに粘着剤層１６により接着させて介在部材１７としたものである。
【００１９】
図４（Ｂ）に示す介在部材１７は、図３（Ｂ）において図面上の左端から剥離自在の感圧接着剤１５部分を剥がしながら折り曲げる際に、ＲＦＩＤインレット１２に対応する部分で内部空間を設けずに折り曲げ、さらに逆方向に折り曲げて、Ｚ字状の重ね折り形状としたものである。
【００２０】
図４（Ｃ）に示す介在部材１７は、図３（Ｂ）において図面上の左端から剥離自在の感圧接着剤１５部分を剥がしながら折り曲げる際に、ＲＦＩＤインレット１２に対応する部分で内部空間を設けずに折り曲げて重ね折り形状としたものである。そして、図４（Ｄ）に示す介在部材１７は、図４（Ｃ）の重ね折りする際に、剥離紙１８Ｂの一部を剥がして内包させた状態で対応する部分に接着させた形状としたものである。なお、上記各介在部材１７は、中間部材１４Ｂ及び剥離紙１８Ｂとから形成する場合を示したが、剥離紙１８Ｂを剥がして中間部材１４Ｂのみで形成してもよい。
【００２１】
このように、物品表面との間に介在部材１７を介在させることから外部力の影響を回避させることができ、介在部材１７によって物品表面２１に対してＲＦＩＤインレット１２を離隔させる新たな形態とさせることができるものである。
【００２２】
次に、図５に本発明に係るＲＦＩＤラベルの第２実施形態の構成図を示すと共に、図６及び図７に図５のＲＦＩＤラベルの作製説明図を示す。図５において、ＲＦＩＤラベル１１は、ＲＦＩＤインレット１２を備えるラベル上紙１３の下方に粘着剤層１６（１６Ａ，１６Ｂ）が設けられ、ＲＦＩＤインレット１２の領域に対応する部分に一の巻込折り形状の介在部材１７が設けられた構成であり、当該ＲＦＩＤラベル１１が金属表面の物品２１上に貼付されるものである。
【００２３】
上記ＲＦＩＤラベル１１は、図６及び図７に示すＲＦＩＤラベルシート１１Ａより作製されるもので、具体的には、ＲＦＩＤインレット１２を備えるラベル上紙１３の裏面に少なくともＲＦＩＤインレット１２に対応する領域、及び、貼付のための両端部又は周縁部（全面であってもよい）に粘着剤層１６が形成され、当該粘着剤層１６に剥離紙１８が設けられる。剥離紙１８（全面の場合では対応部分の粘着剤層１６が設けられる）の上記ＲＦＩＤインレット１２に対応する領域の周囲には貫通された切取線（スリット）１９が形成される（図６（Ｂ））。
【００２４】
このようなＲＦＩＤラベルシート１１Ａにおいて、まず、図７（Ａ）に示すＲＦＩＤラベルシート１１Ａから、図７（Ｂ）に示すように一部の剥離紙１８Ａを切取線１９で剥離する。これによって粘着剤層１６Ａが表出され、剥離紙１８Ｂが残存した状態となる。
【００２５】
そして、図７（Ｃ）に示すように、剥離紙１８Ｂを、図面上左端側から内側に折り込み、さらにその上に図面上右端側を内側に折り込むことで、一の巻込折りの形態とさせることにより、ＲＦＩＤラベル１１となる。そして、図５に示すように、ＲＦＩＤラベル１１を、金属表面の物品２１に、当該一の巻込折りの介在部材１７（１８Ｂ）をその表面との間に介在させ、粘着剤層１６Ａにより貼付させるものである。
【００２６】
このように、上記のような中間部材を設けない場合であっても、物品表面との間に介在部材１７を介在させることから外部力の影響を回避させることができ、介在部材１７によって物品表面２１に対してＲＦＩＤインレット１２を離隔させる新たな形態とさせることができるものである。
【００２７】
次に、図８〜図１０に、本発明に係るＲＦＩＤラベルの第２実施形態における他のラベル作製説明図を示す。図８及び図９は、介在部材１７をＲＦＩＤラベル１１とは別部材で作製させる場合を示したもので、図８（Ａ）、（Ｂ）、図９（Ａ）において、上述のようなＲＦＩＤラベルシート１１Ａの作製時に、当該ＲＦＩＤラベルシート１１Ａにおけるラベル上紙１３の他領域に介在部材シート３２及び剥離紙１８Ａの他領域に粘着剤層１６Ａを介して連設剥離紙１８Ｃを、連設形態かつ切取線３１により分離自在に同一作製工程により設けたものである。切取線３１は、例えばミシン線やレーザ光によるハーフカットにより形成される。
【００２８】
すなわち、図９（Ａ）に示すように、ＲＦＩＤラベルシート１１Ａより切取線３１から介在部材シート３２を剥離紙１８Ｃごと分離し、例えば当該切取線３１と同方向に巻き込んで一の巻込折り形状に曲げ加工して介在部材１７（３２，１６Ａ，１８Ｃ）とする。そして、図９（Ｂ）に示すように、ＲＦＩＤラベルシート１１Ａより切取線１９で剥離紙１８Ｂを剥離して粘着剤層１６Ｂを表出させ、上記曲げ加工した介在部材１７（３２，１６Ａ，１８Ｃ）を貼付してＲＦＩＤラベル１１としたものである。
【００２９】
一方、介在部材１７を作製するに際して、図１０（Ａ）〜（Ｃ）に示すように、剥離紙１８Ａに連設剥離紙１８Ｃを延長させて設け、当該連設剥離紙１８Ｃ上に粘着剤層１６Ｃを介して上記ラベル上紙１３とは独立の介在部材シート３３（ラベル上紙と同一部材）を同一作製工程により分離自在に設けたものである。
【００３０】
そして、図１０（Ｄ）に示すように、剥離紙１８Ｃ上から介在部材シート３３を分離し、これを図９（Ｂ）のように一の巻込折り形状に曲げ加工して介在部材１７とし、図９（Ｂ）のように、ＲＦＩＤラベルシート１１Ａより切取線１９で剥離紙１８Ｂを剥離して粘着剤層１６Ｂを表出させ、ここに上記曲げ加工した介在部材１７を貼付してＲＦＩＤラベル１１としたものである。
【００３１】
このように、介在部材１７を作製するに際して、別部材をＲＦＩＤラベルシート１１Ａに同一作製工程で分離自在に設けて当該別部材を曲げ加工させることによっても、上記同様に、物品表面との間に介在部材１７を介在させることから外部力の影響を回避させることができ、介在部材１７によって物品表面２１に対してＲＦＩＤインレット１２を離隔させる新たな形態とさせることができるものである。
【００３２】
次に、図１１に、本発明に係るＲＦＩＤラベルシート及びＲＦＩＤラベルの第３実施形態の説明図を示す。図１１（Ａ）に示すＲＦＩＤラベルシート１１Ａは、図７（Ａ）に示すものと同様である。そして、図１１（Ｂ）に示すように、剥離紙１８上の切取線１９で剥離紙１８Ｂを分離し、これによって表出した粘着剤層１６Ｂに、図１１（Ｃ）に示すように、他部材の介在部材１７Ａを取着させることによってＲＦＩＤラベル１１としたものである。
【００３３】
上記介在部材１７Ａとしては、例えば、少なくとも剥離紙１８より厚みがあり、通信に影響を与えない非金属の部材（例えば、プラスチック部材、上紙やダンボール等の紙製部材等）のものが選択される。そして、このようなＲＦＩＤラベル１１において、剥離紙１８Ａを剥離して、物品２１上に、当該介在部材１７Ａをラベル上紙１３で覆うように物品表面との間に介在させるものである。
【００３４】
このように、通信に影響を与えない非金属の他部材を介在部材１７Ａとすることによっても、上記同様に、物品表面との間に介在部材１７Ａを介在させることから外部力の影響を回避させることができ、介在部材１７Ａによって物品表面２１に対してＲＦＩＤインレット１２を離隔させる新たな形態とさせることができるものである。
【００３５】
なお、上記介在部材１７の形状が巻込折りとさせる場合、上述のように、一の巻込折りの他に、小の一の巻込折りを２つ形成して巻込折りの重ね形状としてもよい。この場合の一の巻込折り及び巻込折りの重ねの巻回数は適宜使用者により決定されるものである。
【産業上の利用可能性】
【００３６】
本発明のＲＦＩＤラベルは、物品管理等のために物品情報が担持されるラベルの製造、使用に利用可能である。
【図面の簡単な説明】
【００３７】
【図１】本発明に係るＲＦＩＤラベルの第１実施形態の構成図である。
【図２】図１のＲＦＩＤラベルの作製説明図（１）である。
【図３】図１のＲＦＩＤラベルの作製説明図（２）である。
【図４】図１のＲＦＩＤラベルにおける介在部材の他の形態の説明図である。
【図５】本発明に係るＲＦＩＤラベルの第２実施形態の構成図である。
【図６】図５のＲＦＩＤラベルの作製説明図（１）である。
【図７】図５のＲＦＩＤラベルの作製説明図（２）である。
【図８】本発明に係るＲＦＩＤラベルの第２実施形態における他のラベル作製説明図（１）である。
【図９】本発明に係るＲＦＩＤラベルの第２実施形態における他のラベル作製説明図（２）である。
【図１０】本発明に係るＲＦＩＤラベルの第２実施形態における他のラベル作製説明図（３）である。
【図１１】本発明に係るＲＦＩＤラベルシート及びＲＦＩＤラベルの第３実施形態の説明図である。
【符号の説明】
【００３８】
１１            ＲＦＩＤラベル
１１Ａ          ＲＦＩＤラベルシート
１２            ＲＦＩＤインレット
１３            ラベル上紙
１４            中間部材
１５            剥離可能接着剤層
１６            粘着剤
１７            介在部材
１８            剥離紙
１９，３１      切取線
２１            物品
３２，３３      介在部材シート
【図１】
2010026679.tif 000003
【図２】
2010026679.tif 000004
【図３】
2010026679.tif 000005
【図４】
2010026679.tif 000006
【図５】
2010026679.tif 000007
【図６】
2010026679.tif 000008
【図７】
2010026679.tif 000009
【図８】
2010026679.tif 000010
【図９】
2010026679.tif 000011
【図１０】
2010026679.tif 000012
【図１１】
2010026679.tif 000013